(57)【要約】  【課題】  光学機器の光軸調整機構において、微調整が容易であり、調整後に調整ずれが起き難く、高温と低温の温度サイクルを与えた後の光軸の狂いを少なくする。  【解決手段】  ミラー（２２）の角度調整可能な光学機器の光軸調整機構において、ミラーを固定するとともに断面がくさび形状の回転板（３６）と、回転板と摺接する光軸調整機構ハウジング（２０）と、回転板を光軸調整機構ハウジングに固定する固定ねじ（３４）とを備える。回転板の周面には調整ピン（３０）を挿入するピン挿入孔（３２）が形成される。【選択図】  図２
2006171562.tif 000002
【特許請求の範囲】
【請求項１】
ミラーの角度調整可能な光学機器の光軸調整機構において、
前記ミラーを固定するとともに断面がくさび形状の回転板と、該回転板と摺接する光軸調整機構ハウジングと、前記回転板を前記光軸調整機構ハウジングに固定する固定ねじとを備えたことを特徴とする光軸調整機構。
【請求項２】
前記回転板の周面には調整ピン挿入孔が形成されたことを特徴とする特徴とする請求項１に記載の光軸調整機構。
【請求項３】
前記回転板のテーパ角は、略１〜５°であることを特徴とする請求項１又は２に記載の光軸調整機構。
【発明の詳細な説明】
【技術分野】
【０００１】
本発明は、光学機器の光軸調整機構に関し、さらに詳細には、光波距離計等の測量機において、ミラーで反射した光を精確に測量機の望遠鏡の光軸と平行にできるように、ミラーの角度を調整できる光軸調整機構に関する。
【背景技術】
【０００２】
光学機器の光軸調整機構としては、下記特許文献１に開示されたようなものが知られている。この光軸調整機構を図５に示す。
【０００３】
この光軸調整機構は、第１レンズ１の光軸Ｌ１に沿う光線を反射鏡（ミラー）７で反射させて第２レンズ２の光軸Ｌ２と一致させるものである。一端に反射鏡７を固定する補正部材４は、他端が球面にされていて、この他端が装置本体１０に設けられた球面坐３に球面嵌合しており、反射鏡７の角度を自在に調整できるようになっている。補正部材４は、反射鏡７の角度を調整後、ビス（ねじ）５、６で装置本体１０に固定される。これにより、第１レンズ１の光軸Ｌ１に沿う光線を反射鏡７で反射させて第２レンズの光軸Ｌ２と一致させることができる。
【特許文献１】特開昭５８−１０６５０５号公報
【発明の開示】
【発明が解決しようとする課題】
【０００４】
前記特許文献1に開示された光軸調整機構では、補正部材４すなわち反射鏡７の角度をゆっくりと変化させる機構がないので微調整が困難であり、また、補正部材４と装置本体１０との間の球面嵌合による摩擦力も小さいので、調整後にビス５、６を締めるときに補正部材４の角度を狂わせ易く、さらに、高温と低温の温度サイクルを与えると、熱膨張でビス５、６が伸縮して補正部材４の角度が狂い易く、元の温度に戻ったときの両光軸Ｌ１、Ｌ２が一致する再現性が悪いという問題があった。
【０００５】
本発明は、前記問題に鑑みてなされたものであって、光学機器の光軸調整機構において、微調整が容易であり、調整後に調整ずれが起き難く、高温と低温の温度サイクルを与えた後の光軸の狂いを少なくすることを課題とする。
【課題を解決するための手段】
【０００６】
前記課題を解決するため、請求項１に係る発明は、ミラーの角度調整可能な光学機器の光軸調整機構において、前記ミラーを固定するとともに断面がくさび形状の回転板と、該回転板と摺接する光軸調整機構ハウジングと、前記回転板を前記光軸調整機構ハウジングに固定する固定ねじとを備えたことを特徴とする。
【０００７】
請求項２に係る発明は、請求項１に係る発明において、前記回転板の周面には調整ピン挿入孔が形成されたことを特徴とする特徴とする。
【０００８】
請求項３に係る発明は、請求項１又は２に係る発明において、前記回転板のテーパ角は、略１〜５°であることを特徴とする。
【発明の効果】
【０００９】
請求項１に係る発明の光波距離計によれば、ミラーの角度調整可能な光学機器の光軸調整機構において、前記ミラーを固定するとともに断面がくさび形状の回転板と、該回転板と摺接する光軸調整機構ハウジングと、前記回転板を前記光軸調整機構ハウジングに固定する固定ねじとを備えたから、前記回転板を回転させると、前記回転板のテーパ角のためにミラーの角度がゆっくりと変わり、光学機器の光軸調整は極めて容易になる。また、前記回転板と光軸調整機構ハウジング間には充分な摩擦力が働き、前記回転板が回転し難いので、光軸の狂いを少なくできる。さらに、固定ねじで前記回転板の回転中心を固定したから、ねじ固定歪みを均一に分散させることができ、高温と低温の温度サイクルを与えた後の光軸の狂いを少なくすることができる。
【００１０】
請求項２に係る発明の光波距離計によれば、前記回転板の周面には調整ピン挿入孔が形成されたから、調整ピンを調整ピン挿入孔に挿入して前記回転板を回転させることができるが、調整後には、光軸調整機構ハウジングと前記回転板との間の摩擦力のために前記回転板が回転することはなく、光軸の調整ずれが起き難いものとなる。
【００１１】
請求項３に係る発明の光波距離計によれば、前記回転板のテーパ角は略１〜５°であるから、前記回転板を回転させるとミラーの角度が適切な変位で変わり、光学機器の光軸調整は極めて容易になる。
【発明を実施するための最良の形態】
【００１２】
以下、図面に基づいて、本発明の光軸調整装置の一実施例を説明する。図１は、この光軸調整装置の斜視図である。図２は、図１のII−II線に沿う断面図である。図３は、この光軸調整装置の調整方法を説明する図である。
【００１３】
この光軸調整機構は、光波距離計等の測量機において、光源から出射された測距光Ｌを９０°方向変換させるとともに、光軸調整機構ハウジング２０に対するミラー２２の取付角度を二軸方向に関して微調整容易にするものである。
【００１４】
光軸調整機構ハウジング２０は、ミラー２２を内部に収容するための４５°傾斜面２４ａを設けたミラー収容部２４と、ミラー収容部２４両端に設けられた耳部２６とからなり、耳部２６には長孔２８が開けられている。光軸調整機構ハウジング２０は、長孔２８に通したビス４７によって、図示しない測量機本体に固定される。
【００１５】
ミラー２２をミラー収容部２４に固定するには、断面くさび形にテーパした回転板３６を傾斜面２４ａに摺接状態で収容し、固定ねじ３４を座金４８を介し傾斜面２４ａの外部から内部へ貫通させ、回転板３６の回転中心ねじ４９に螺合させて、回転板３６をミラー収容部２４に固定し、この回転板３６にミラー２２を接着等により固定することにより行う。回転板３６の断面におけるテーパ角αは、１〜５°程度であり、特に３°程度が最適である。
【００１６】
回転板３６のミラー側には、回転板３６を貫通した固定ねじ３４の先端付近に、回転板３６の歪みを避ける凹所４６が設けられている。
【００１７】
ミラー収容部２４の傾斜面２４ａと回転板３６との間には、固定ねじ３４で締め付けたとき、回転板３６のピン挿入孔３２に調整ピン３０を挿入して回したときは回転板３６を回転させられるが、指先で回転板３６を回そうとしても回転しない程度の摩擦力が働くようにする。このように傾斜面２４ａと回転板３６との間の摩擦力を適切にするため、ミラー収容部と回転板３６の材質にはアルマイト処理されたアルミニウムが適しており、また、回転板３６の傾斜面２４ａ側には凹所４４を設けて、両者の接触面積を適当に設定している。
【００１８】
また、ミラー収容部２４には窓３８が設けられていて、窓３８から回転板３６の一部が露出している。回転板３６の側面４０には、所定間隔でピン挿入孔３２が設けられていて、ピン挿入孔３２には調整ピン３０を挿入して、回転板３６を固定ねじ３４とともに回転させることができるようになっている。
【００１９】
この光軸調整機構を、測量機例えば光波距離計の光路中に設けた例を図４に示す。本実施例の光軸調整機構は、測量機（特に光波距離計又はトータルステーション）の光学系に使用すると、図５に示した従来の反射鏡７の調整機構に比べて、すばやく確実に調整ができるので、測量機のコスト削減ができる。図４は、光波距離計の光路図であって、その望遠鏡７０は、視準望遠鏡（対物レンズ５４、合焦レンズ５９、焦点板６０、接眼レンズ６１）と、距離を計測する測距送光光学系（光源５１、コリメータレンズ５２、本実施例の光軸調整機構を備えるミラー２２、ミラー５５、対物レンズ５４、ビームスプリッター５６、ミラー５７、受光素子５８）で構成されて、距離計測を行うものである。光源５１からの送光光Ｌは、ミラー２２とミラー５５で直角に曲げられ、望遠鏡７０の光軸（視準軸）Ｃと一致させる必要があるが、本実施例では、光軸調整機構を備えるミラー２２を調整することによって、送光光Ｌと光軸Ｃとを容易に一致させることができる。
【００２０】
このように構成した測量機のミラー２２を調整するには、測量機の望遠鏡７０の光軸Ｃ上にコリメータ（図示省略）を精確に設置し、測量機から測距光Ｌを出射し、コリメータで観測する。まず、コリメータと望遠鏡７０を対向させ、コリメータの光軸（十字線５０の中心５２）と望遠鏡の光軸Ｃ（視準望遠鏡の焦点板６０の十字線）とを、測量機の水平・高度角微動装置により一致させる。最初は、ミラー２２に取付角度誤差があるため、図３に示したように、コリメータの視野５０Ｖ内において、十字線５０の中心５０ｃから外れたＰ１位置に輝点Ｐを見る。そこで、ピン挿入孔３２には調整ピン３０を挿入して、回転板３６を回転させると、回転板３６のテーパ角αのため、ミラー２２の角度が変わり、輝点Ｐは斜め方向へ移動していく。輝点Ｐがコリメータの十字線５０の縦線又は横線に一致したところで回転板３６を止める。この際、テーパ角αが小さいため、回転板３６を大きく回転させても、輝点Ｐはゆっくりと動くので、ここまでの調整は極めて容易である。
【００２１】
次に、光軸調整機構ハウジング２０を測量機本体に固定するビス４７を緩めて、長孔２８に沿って平行移動させる。すると、輝点Ｐは、長孔２８の方向により十字線５０の縦線又は横線に沿って移動するので、輝点Ｐを十字線５０の中心５０ｃに一致させ、ビス４７を締め直す。輝点Ｐを十字線５０に沿って移動させるときは、光軸調整機構ハウジング２０が長孔２８に挿通されたビス４７よってガイドされるから、この調整も極めて容易である。
【００２２】
これで、測量機の望遠鏡７０の光軸Ｃと測距送光光学系の光軸が一致し、光源５１から出射された測距光Ｌは望遠鏡７０の光軸Ｃに一致して送光される。
【００２３】
本実施例によれば、測量機の望遠鏡７０の光軸Ｃと測距送光光学系の光軸を簡単に一致させられるから、誤差の少ない距離測定が可能になる。一般に、望遠鏡７０の光軸Ｃと測距送光光学系の光軸がずれた場合に、プリズムに比べて反射シートを測点においた場合の誤差は大きいが、本実施例の光軸調整装置を用いると光軸調整が容易となるため、安価な反射シートを用いても測距誤差を小さくでき経済的である。
【００２４】
また、調整ピン３０を用いることによって、回転板３６と光軸調整機構ハウジング２０の傾斜面２４ａとの摩擦力に抗して光軸調整を容易に行うことができるが、調整後には、傾斜面２４ａと回転板３６との摩擦力が適切な大きさを有しているので、調整ずれが起き難いものとなる。
【００２５】
さらに、固定ネジ３４でに光軸調整機構ハウジング２０の傾斜面２４ａに回転板３６を固定する際に、固定ねじ３４を回転板３６の回転中心に配置したから、ねじ固定の歪みを均一に分散させることができ、高温と低温の温度サイクルを与えた後の光軸の狂いを少なくすることができる。
【産業上の利用可能性】
【００２６】
本発明は、光波距離計だけでなく、光波距離計を内蔵した測量機、例えばトータルステーションや、その他の距離測定装置の他、光学機器において互いに交差する光軸を調整する場合等に広く利用できる。
【図面の簡単な説明】
【００２７】
【図１】本発明の１実施例に係る光軸調整機構の斜視図である。
【図２】図１におけるII−II線に沿う断面図である。
【図３】前記光軸調整機構で光軸調整を行う方法を説明する図である。
【図４】前記光軸調整機構を備えた測量機の光路図である。
【図５】従来の光軸調整機構の縦断面図である。
【符号の説明】
【００２８】
２０    光軸調整機構ハウジング
２２    ミラー
３０    調整ピン
３４    固定ねじ
３６    回転板
４０    周面
４２    ピン挿入孔
α    テーパ角
【図１】
2006171562.tif 000003
【図２】
2006171562.tif 000004
【図３】
2006171562.tif 000005
【図４】
2006171562.tif 000006
【図５】
2006171562.tif 000007